【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
座席（３１）を備える走行車体（２）と、該走行車体（２）に搭載したエンジン（２０）を設け、該エンジン（２０）からの動力を変速装置（２３）を介してミッションケース（１２）内へ伝達し、ミッションケース（１２）内で走行動力と外部取出動力に分離する構成とし、変速装置（２３）を操作して走行速度を調整する変速手段（１２４）を設け、走行車体（２）の後側に昇降リンク装置（３）を介して苗植付部（４）を装着し、苗植付部（４）には、フレームを兼ねる伝動ケース（５０）と、マット苗を載せて左右往復動し苗を一株分づつ各条の苗取出口（５１ａ）に供給するとともに横一列分の苗を全て苗取出口（５１ａ）に供給すると苗送りベルト（５１ｂ）により苗を下方に移送する苗載台（５１）と、苗取出口（５１ａ）に供給された苗を圃場に植付ける苗植付具（５２ａ）を備える苗植付装置（５２）を備え、ミッションケース（１２）内で分離された外部取出動力を、走行車体（２）の後部に設けた植付クラッチケース（２５）に伝達し、植付クラッチケース（２５）から植付伝動軸（２６）を介して苗植付部（４）へ伝動する構成とした苗移植機において、
走行速度に対する苗植付具（５２ａ）の作動速度を変更可能であって、苗植付具（５２ａ）の作動速度を、苗植付のタイミングで速くなるように不等速伝動する不等速伝動機構（１００，１１２）を有する株間変速装置（Ａ）と、
該株間変速装置（Ａ）による苗植付具（５２ａ）の作動速度を変更して苗の植え付け間隔を変更する株間変更手段（１２３）を設け、
該株間変更手段（１２３）により株間を広い側に設定したときに、株間変速装置（Ａ）は前記不等速伝動機構（１００，１１２）を経由して苗植付具（５２ａ）を作動させることができる構成とし、
不等速伝動機構（１００，１１２）を経由して苗植付具（５２ａ）を作動させると同時に変速手段（１２４）の高速側への変速を規制する規制手段（１２３ｂ）
を備えたことを特徴とする苗移植機。
【請求項２】
植付クラッチケース（２５）内に株間変速装置（Ａ）を設け、株間変速装置（Ａ）は、植付伝動軸（２６）への伝動比を切り替える株間変速シフタ（１１５）と、不等速伝動機構（１００，１１２）を経由して植付伝動軸（２６）へ伝動する状態と不等速伝動機構（１００，１１２）を経由せずに植付伝動軸（２６）へ伝動する状態に切り替える不等速切替操作具（１１９）を設け、変速手段（１２４）を、揺動軸（１２４ａ）を支点に揺動する変速レバーとし、株間変更手段（１２３）を、回動中心（１２３ｄ）を支点に回動する株間レバーとし、変速手段（１２４）及び株間変更手段（１２３）を座席（３１）の右側に配置し、規制手段（１２３ｂ）を株間変更手段（１２３）と一体の車速規制アームとし、株間変更手段（１２３）の操作に伴って株間変速シフタ（１１５）を切り替える構成とし、株間変更手段（１２３）を疎植側に切り替えたとき、規制手段（１２３ｂ）が変速手段（１２４）に当接して変速手段（１２４）の高速側への揺動を規制する構成としたことを特徴とする請求項１に記載の苗移植機。
【請求項３】
変速装置（２３）とは別に、路上走行用の移動速に変速できる副変速装置を設け、副変速装置による移動速への変速に連動して規制手段（１２３ｂ）の規制を解除する規制解除手段を設けたことを特徴とする請求項１に記載の苗移植機。
【請求項４】
苗送りカウンタ軸（６２）にカウンタアーム（６２ａ）を固定し、ベルト送り軸（６０）にワンウェイクラッチ及び送り軸片（６０ａ）を固定し、カウンタアーム（６２ａ）と送り軸片（６０ａ）を苗送りアーム（６０ｂ）で連結し、苗送りカウンタ軸（６２）の駆動によりベルト送り軸（６０）を介して苗送りベルト（５１ｂ）を作動する構成とし、苗送りアーム（６０ｂ）に当接してカウンタアーム（６２ａ）の死点越えを防止する死点越え防止ストッパ（６３）を設けたことを特徴とする請求項１に記載の苗移植機。
【請求項５】
伝動ケース（５０）内には苗植付具（５２ａ）へ伝動するチェーン（４７）を設け、チェーン（４７）を張る板バネ（４８）を設け、伝動ケース（５０）の外部から内部に向けてチェーン（４７）に直交する方向に挿脱可能なボルト（４９）の先端部を板バネ（４８）に当接させ、ボルト（４９）によりチェーン（４７）の張り具合を調整する構成とし、機体前部に燃料タンク（２８）を設け、機体前面に燃料タンクガード（２ａ）と乗降用補助ステップ（２ｂ）を兼ねた部材を設けたことを特徴とする請求項１に記載の苗移植機。
【手続補正２】
【補正対象書類名】明細書
【補正対象項目名】０００６
【補正方法】変更
【補正の内容】
【０００６】
本発明の上記課題は、次の解決手段で解決される。  
請求項１記載の発明は、座席（３１）を備える走行車体（２）と、該走行車体（２）に搭載したエンジン（２０）を設け、該エンジン（２０）からの動力を変速装置（２３）を介してミッションケース（１２）内へ伝達し、ミッションケース（１２）内で走行動力と外部取出動力に分離する構成とし、変速装置（２３）を操作して走行速度を調整する変速手段（１２４）を設け、走行車体（２）の後側に昇降リンク装置（３）を介して苗植付部（４）を装着し、苗植付部（４）には、フレームを兼ねる伝動ケース（５０）と、マット苗を載せて左右往復動し苗を一株分づつ各条の苗取出口（５１ａ）に供給するとともに横一列分の苗を全て苗取出口（５１ａ）に供給すると苗送りベルト（５１ｂ）により苗を下方に移送する苗載台（５１）と、苗取出口（５１ａ）に供給された苗を圃場に植付ける苗植付具（５２ａ）を備える苗植付装置（５２）を備え、ミッションケース（１２）内で分離された外部取出動力を、走行車体（２）の後部に設けた植付クラッチケース（２５）に伝達し、植付クラッチケース（２５）から植付伝動軸（２６）を介して苗植付部（４）へ伝動する構成とした苗移植機において、走行速度に対する苗植付具（５２ａ）の作動速度を変更可能であって、苗植付具（５２ａ）の作動速度を、苗植付のタイミングで速くなるように不等速伝動する不等速伝動機構（１００，１１２）を有する株間変速装置（Ａ）と、該株間変速装置（Ａ）による苗植付具（５２ａ）の作動速度を変更して苗の植え付け間隔を変更する株間変更手段（１２３）を設け、該株間変更手段（１２３）により株間を広い側に設定したときに、株間変速装置（Ａ）は前記不等速伝動機構（１００，１１２）を経由して苗植付具（５２ａ）を作動させることができる構成とし、不等速伝動機構（１００，１１２）を経由して苗植付具（５２ａ）を作動させると同時に変速手段（１２４）の高速側への変速を規制する規制手段（１２３ｂ）を備えた苗移植機である。
請求項２記載の発明は、植付クラッチケース（２５）内に株間変速装置（Ａ）を設け、株間変速装置（Ａ）は、植付伝動軸（２６）への伝動比を切り替える株間変速シフタ（１１５）と、不等速伝動機構（１００，１１２）を経由して植付伝動軸（２６）へ伝動する状態と不等速伝動機構（１００，１１２）を経由せずに植付伝動軸（２６）へ伝動する状態に切り替える不等速切替操作具（１１９）を設け、変速手段（１２４）を、揺動軸（１２４ａ）を支点に揺動する変速レバーとし、株間変更手段（１２３）を、回動中心（１２３ｄ）を支点に回動する株間レバーとし、変速手段（１２４）及び株間変更手段（１２３）を座席（３１）の右側に配置し、規制手段（１２３ｂ）を株間変更手段（１２３）と一体の車速規制アームとし、株間変更手段（１２３）の操作に伴って株間変速シフタ（１１５）を切り替える構成とし、株間変更手段（１２３）を疎植側に切り替えたとき、規制手段（１２３ｂ）が変速手段（１２４）に当接して変速手段（１２４）の高速側への揺動を規制する構成とした請求項１に記載の苗移植機である。
請求項３記載の発明は、変速装置（２３）とは別に、路上走行用の移動速に変速できる副変速装置を設け、副変速装置による移動速への変速に連動して規制手段（１２３ｂ）の規制を解除する規制解除手段を設けた請求項１に記載の苗移植機である。
請求項４記載の発明は、苗送りカウンタ軸（６２）にカウンタアーム（６２ａ）を固定し、ベルト送り軸（６０）にワンウェイクラッチ及び送り軸片（６０ａ）を固定し、カウンタアーム（６２ａ）と送り軸片（６０ａ）を苗送りアーム（６０ｂ）で連結し、苗送りカウンタ軸（６２）の駆動によりベルト送り軸（６０）を介して苗送りベルト（５１ｂ）を作動する構成とし、苗送りアーム（６０ｂ）に当接してカウンタアーム（６２ａ）の死点越えを防止する死点越え防止ストッパ（６３）を設けた請求項１に記載の苗移植機である。
請求項５記載の発明は、伝動ケース（５０）内には苗植付具（５２ａ）へ伝動するチェーン（４７）を設け、チェーン（４７）を張る板バネ（４８）を設け、伝動ケース（５０）の外部から内部に向けてチェーン（４７）に直交する方向に挿脱可能なボルト（４９）の先端部を板バネ（４８）に当接させ、ボルト（４９）によりチェーン（４７）の張り具合を調整する構成とし、機体前部に燃料タンク（２８）を設け、機体前面に燃料タンクガード（２ａ）と乗降用補助ステップ（２ｂ）を兼ねた部材を設けた請求項１に記載の苗移植機である。
【手続補正３】
【補正対象書類名】明細書
【補正対象項目名】００１０
【補正方法】変更
【補正の内容】
【００１０】
しかし、請求項１記載の発明によれば、株間を比較的広く設定したとき（疎植のとき）に変速手段（１２４）の高速側への変速を規制する規制手段（１２３ｂ）で高速走行ができなくするので脈動を抑え、植付精度が向上する。
また、請求項２記載の発明によれば、請求項１記載の発明の効果に加えて、株間レバーを疎植側に切り替えたとき、株間レバーと一体の車速規制アームが変速レバーに当接して変速レバーの高速側への揺動を規制する構成とすることができる。
また、請求項３記載の発明によれば、請求項１記載の発明の効果に加えて、路上走行用の移動速に変速すると、車速規制を解除することができる。
また、請求項４記載の発明によれば、請求項１記載の発明の効果に加えて、死点越え防止ストッパ（６３）により、苗送りカウンタ軸（６２）の回動が死点を越えない範囲に規制されるため、カウンタアーム（６２ａ）の死点越えを防ぎながらリンク機構の作動によるベルト送り軸（６０）の回動量を大きくすることができ、小スペースに構成される小型のリンク機構でありながら大きい苗送り量を得ることができる。
また、請求項５記載の発明によれば、請求項１記載の発明の効果に加えて、ボルト（４９）によりチェーン（４７）の張り具合を調整できるので、チェーン（４７）に適正な張力を与えることができ、苗植付具（５２ａ）の脈動を防止できる。また、燃料タンクガード（２ａ）と乗降用補助ステップ（２ｂ）を兼ねた部材を設けたので、コストダウン効果が得られるとともに、燃料タンク（２８）の燃料供給口（２８ａ）を防護できる。
【手続補正４】
【補正対象書類名】明細書
【補正対象項目名】００５０
【補正方法】変更
【補正の内容】
【００５０】
上記構成でカウンタ軸６２の揺動範囲が死点を越えない範囲で規制されているため、死点越えを防ぎながらリンク機構でベルト送り軸６０の揺動範囲を大きくすることで小スペースで大きい苗送り量を得ることができる。従来は、ストッパ無しで死点越えを防ぐような揺動範囲の設定のため、リンク機構自体を大きくしなければならなかった。